【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
多視点システム内の第１の視点から得られる第１視点画像の全部分または一部分である前記第１視点画像の部分をエンコーディングするステップと、
前記多視点システム内の第２の視点から得られる第２視点画像の部分が前記第１視点画像の前記部分に対応していることを判定するステップであって、当該判定が前記第２視点画像の前記部分の奥行き情報を提供する第２視点奥行き値に基づいている、ステップと、
前記第２視点画像の前記部分を前記第１視点画像の前記部分のエンコーディングしたものから得られる情報を使用してエンコーディングするステップと、
前記第２視点画像の前記部分に関するシンタックスを生成するステップであって、当該生成されたシンタックスは、（ｉ）前記第２視点画像の前記部分が前記第１視点画像の前記部分の前記エンコーディングしたものからの情報を用いてエンコーディングされたという表示、及び（ｉｉ）前記第２視点奥行き値の表示を含む、ステップと、
を含み、
前記第１視点画像の前記部分が前記第２視点画像の前記第２の部分に対応していることを判定するステップは、ワーピング処理を使用するステップを含み、前記ワーピング処理は、
前記第２視点画像の前記部分内の点の位置に基づいて現実の空間内の前記点の位置を判定するステップと、
現実の空間内の前記点の位置に基づいて前記第１視点画像の前記部分内の前記点の位置を判定するステップと、
を含む、方法。
【請求項２】
前記第１視点画像の当該エンコーディングされた部分、前記第２視点画像の当該エンコーディングされた部分、及び当該エンコーディングされた第２視点の奥行き値が、奥行きマップのコーディングをサポートせずに多視点コーディングをサポートしている規格に従ってエンコーディングされている、請求項１に記載の方法。
【請求項３】
前記第２視点画像の前記部分の視差ベクトルを判定するステップをさらに含み、前記視差ベクトルが、前記第２視点画像の前記部分の位置と前記第１視点画像の前記部分の位置との間の差を示し、前記視差ベクトルが前記第２視点奥行き値に基づいて判定される、請求項１に記載の方法。
【請求項４】
前記視差ベクトルを判定するステップが、さらに、前記視差ベクトルを合成ではなくエンコーディングしたものにさらに適合させる精緻化に基づいている、請求項３に記載の方法。
【請求項５】
前記第２視点画像の前記部分が前記第１視点画像の前記部分の前記エンコーディングしたものからの情報を用いてエンコーディングされたという表示は、前記第２視点画像の前記部分が再構築されるように前記第２視点画像の前記部分が前記第１視点画像の前記部分を再構築したものを用いて再構築されるべきであることを示すフラグを備える、請求項１に記載の方法。
【請求項６】
装置であって、
多視点システムにおける第１の視点から得られた第１視点画像の全部分または一部分である前記第１視点画像の部分をエンコーディングする手段と、
前記多視点システムにおける第２の視点から得られた第２視点画像部分が前記第１視点画像の前記部分に対応しているかを判定する手段であって、当該判定は前記第２視点画像の前記部分の奥行き情報を提供する第２視点奥行き値に基づいている、手段と、
前記第１視点画像の前記部分のエンコーディングしたものから得られた情報を使用して前記第２視点画像の前記部分をエンコーディングする手段と、
前記第２視点画像の前記部分に関するシンタックスを生成する手段であって、当該生成されたシンタックスは、（ｉ）前記第２視点画像の前記部分が前記第１視点画像の前記部分の前記エンコーディングしたものからの情報を用いてエンコーディングされたという表示、及び（ｉｉ）前記第２視点奥行き値の表示を含む、手段と、
を含み、
前記第１視点画像の前記部分が前記第２視点画像の前記第２の部分に対応していることを判定する手段は、ワーピング処理を使用する手段を含み、前記ワーピング処理は、
前記第２視点画像の前記部分内の点の位置に基づいて現実の空間内の前記点の位置を判定することと、
現実の空間内の前記点の位置に基づいて前記第１視点画像の前記部分内の前記点の位置を判定することと、
を含む、装置。
【請求項７】
命令が保存されているプロセッサ可読媒体であって、前記命令がプロセッサに少なくとも、
多視点システムにおける第１の視点から得られた第１視点画像の全部分または一部分である前記第１視点画像の部分をエンコーディングするステップと、
前記多視点システムにおける第２の視点から得られた第２視点画像部分が前記第１視点画像の前記部分に対応しているかを判定するステップであって、当該判定は前記第２視点画像の前記部分の奥行き情報を提供する第２視点奥行き値に基づいている、ステップと、
前記第１視点画像の前記部分のエンコーディングしたものから得られた情報を使用して前記第２視点画像の前記部分をエンコーディングするステップと、
前記第２視点画像の前記部分に関するシンタックスを生成するステップであって、当該生成されたシンタックスは、（ｉ）前記第２視点画像の前記部分が前記第１視点画像の前記部分の前記エンコーディングしたものからの情報を用いてエンコーディングされたという表示、及び（ｉｉ）前記第２視点奥行き値の表示を含む、ステップと、
を実行させ、
前記第１視点画像の前記部分が前記第２視点画像の前記第２の部分に対応していることを判定するステップは、ワーピング処理を使用するステップを含み、前記ワーピング処理は、
前記第２視点画像の前記部分内の点の位置に基づいて現実の空間内の前記点の位置を判定するステップと、
現実の空間内の前記点の位置に基づいて前記第１視点画像の前記部分内の前記点の位置を判定するステップと、
を含む、プロセッサ可読媒体。
【請求項８】
多視点システムにおける第２の視点から得られた第２視点画像の部分が多視点システムにおける第１の視点から得られた第１視点画像の全部分または一部分である前記第１視点画像の部分と対応していることを判定する視差コンバータであって、当該判定は前記第２視点画像の前記部分の奥行き情報を提供する第２視点奥行き値に基づいている、視差コンバータと、
前記第１視点画像の前記部分をエンコーディングして、前記第１視点画像の前記部分のエンコーディングしたものから得られた情報を使用して前記第２視点画像の前記部分をエンコーディングし、前記第２視点画像の前記部分に関するシンタックスを生成するエンコ−ディングユニットであって、当該生成されたシンタックスは、（ｉ）前記第２視点画像の前記部分が前記第１視点画像の前記部分の前記エンコーディングからの情報を用いてエンコーディングされたという表示、及び（ｉｉ）前記第２視点奥行き値の表示を含む、エンコーディングユニットと、
を含み、
前記第１視点画像の前記部分が前記第２視点画像の前記第２の部分に対応していることの判定は、ワーピング処理を使用することを含み、前記ワーピング処理は、
前記第２視点画像の前記部分内の点の位置に基づいて現実の空間内の前記点の位置を判定することと、
現実の空間内の前記点の位置に基づいて前記第１視点画像の前記部分内の前記点の位置を判定することと、
を含む、装置。
【請求項９】
前記第２視点画像の前記部分が前記第１視点画像の前記部分の前記エンコーディングしたものからの情報を用いてエンコーディングされたという表示は、前記第２視点画像の前記部分が再構築されるように前記第２視点画像の前記部分が前記第１視点画像の前記部分を再構築したものを用いて再構築されるべきであることを示すフラグを備える、請求項８に記載の装置。
【請求項１０】
多視点システムにおける第１の視点から得られた第１視点画像の全部分または一部分である前記第１視点画像の部分とのエンコーディングしたものをデコーディングするステップと、
（ｉ）前記多視点システムにおける第２の視点からの第２視点画像の部分が前記第１視点画像の対応部分のエンコーディングしたものからの情報を用いてエンコーディングされたという表示と、（ｉｉ）前記第２視点画像の前記部分に関する奥行き情報を提供する第２視点奥行き値の表示とを含むシンタックスにアクセスするステップであって、前記奥行き情報は、前記第１視点画像の対応部分を判定するために用いることができる、ステップと、
前記第２視点画像の前記部分が、前記第１視点画像の前記部分に対応し、前記第１視点画像の前記部分の前記エンコーディングしたものからの情報を用いてエンコーディングされることを判定するステップであって、前記判定は、前記第２視点奥行き値の表示と、前記第２視点画像の前記部分が前記第１視点画像の対応部分のエンコーディングしたものからの情報を用いてエンコーディングされたという表示とに基づいている、ステップと、
前記第１視点画像の当該デコーディングされた部分からの情報を使用して前記第２視点画像の前記部分の前記エンコーディングしたものをデコーディングするステップと、
を含み、
前記第２視点画像の前記部分をデコーディングするステップは、前記第２視点画像の前記部分が再構築されるように前記第２視点画像の前記部分が前記第１視点画像の前記部分を再構築したものを用いて再構築されるべきであることを示すフラグを読み込むステップを備える、方法。
【請求項１１】
前記第２視点画像の前記部分をデコーディングするステップが、前記第１視点画像の当該デコーディングされた部分から得られたモーションベクトルを使用するステップと、
前記第２視点画像の前記部分と前記第２視点画像から前記モーションベクトルによって指し示されている基準画像との間の残余を判定するステップと、
を含む、請求項１０に記載の方法。
【請求項１２】
前記第２視点奥行き値が所定のマクロブロックまたはマクロブロックの所定の部分の単一の値である、請求項１０に記載の方法。
【請求項１３】
前記第２視点画像の前記部分の視差ベクトルを判定するステップをさらに含み、前記視差ベクトルは、前記第２視点の前記部分の位置と前記第１視点画像の前記部分の位置との間の差を示し、前記視差ベクトルは、前記第２視点奥行き値に基づいて判定される、請求項１０に記載の方法。
【請求項１４】
前記第２視点画像の前記部分の視差ベクトル予測因子を形成するステップと、
前記視差ベクトル予測因子に基づいて視差ベクトルをデコーディングするステップと、
を含み、
前記視差ベクトル予測因子は、前記第２視点画像の前記部分の位置と前記第１視点画像の前記部分の位置との間の差を示し、前記視差ベクトル予測因子は、前記第２視点奥行き値に基づいて判定される、請求項１０に記載の方法。
【請求項１５】
前記第１視点画像の前記部分の視差ベクトルであって奥行き値から導出された視差ベクトルに基づいて視差ベクトル予測因子を生成するステップと、
前記視差ベクトル予測因子に基づいて視差ベクトルをデコーディングするステップと、
をさらに含む、請求項１０に記載の方法。
【請求項１６】
前記第２視点画像の前記部分が前記第１視点画像の前記部分に対応することを判定するステップは、ワーピング処理を使用するステップを含み、前記ワーピング処理は、
前記第２視点画像の前記部分内の点の位置に基づいて現実の空間内の前記点の位置を判定するステップと、
現実の空間内の前記点の位置に基づいて前記第１視点画像の前記部分内の前記点の位置を判定するステップと、
を含む、請求項１０に記載の方法。
【請求項１７】
前記方法がデコーダ内に実装される、請求項１０に記載の方法。
【請求項１８】
前記方法がエンコーダ内にエンコーディング処理の一部として実装される、請求項１０に記載の方法。
【請求項１９】
多視点システムにおける第１の視点から得られた第１視点画像の全部分または一部分である前記第１視点画像の部分をエンコーディングしたものをデコーディングする手段と、
（ｉ）前記多視点システムにおける第２の視点からの第２視点画像の部分が前記第１視点画像の対応部分のエンコーディングしたものからの情報を用いてエンコーディングされたという表示と、（ｉｉ）前記第２視点画像の前記部分に関する奥行き情報を提供する第２視点奥行き値の表示とを含むシンタックスにアクセスする手段であって、前記奥行き情報は、前記第１視点画像の対応部分を判定するために用いることができる、手段と、
前記第２視点画像の前記部分が、前記第１視点画像の前記部分に対応し、前記第１視点画像の前記部分の前記エンコーディングしたものからの情報を用いてエンコーディングされることを判定する手段であって、前記判定は、前記第２視点奥行き値の表示と、前記第２視点画像の前記部分が前記第１視点画像の対応部分のエンコーディングしたものからの情報を用いてエンコーディングされたという表示とに基づいている、手段と、
前記第１視点画像の当該デコーディングされた部分からの情報を使用して前記第２視点画像の前記部分の前記エンコーディングしたものをデコーディングする手段と、
を含み、
前記第２視点画像の前記部分をデコーディングする手段は、前記第２視点画像の前記部分が再構築されるように前記第２視点画像の前記部分が前記第１視点画像の前記部分を再構築したものを用いて再構築されるべきであることを示すフラグを読み込むことを備える、装置。
【請求項２０】
命令が保存されているプロセッサ可読媒体であって、前記命令がプロセッサに少なくとも、
多視点システムにおける第１の視点から得られた第１視点画像の全部分または一部分である前記第１視点画像の部分をエンコーディングしたものをデコーディングするステップと、
（ｉ）前記多視点システムにおける第２の視点からの第２視点画像の部分が前記第１視点画像の対応部分のエンコーディングしたものからの情報を用いてエンコーディングされたという表示と、（ｉｉ）前記第２視点画像の前記部分に関する奥行き情報を提供する第２視点奥行き値の表示とを含むシンタックスにアクセスするステップであって、前記奥行き情報は、前記第１視点画像の対応部分を判定するために用いることができる、ステップと、
前記第２視点画像の前記部分が、前記第１視点画像の前記部分に対応し、前記第１視点画像の前記部分の前記エンコーディングしたものからの情報を用いてエンコーディングされることを判定するステップであって、前記判定は、前記第２視点奥行き値の表示と、前記第２視点画像の前記部分が前記第１視点画像の対応部分のエンコーディングしたものからの情報を用いてエンコーディングされたという表示とに基づいている、ステップと、
前記第１視点画像の当該デコーディングされた部分から得られた情報を使用して前記第２視点画像の前記部分の前記エンコーディングしたものをデコーディングするステップと、
を実行させ、
前記第２視点画像の前記部分をデコーディングするステップは、前記第２視点画像の前記部分が再構築されるように前記第２視点画像の前記部分が前記第１視点画像の前記部分を再構築したものを用いて再構築されるべきであることを示すフラグを読み込むステップを備える、プロセッサ可読媒体。
【請求項２１】
（ｉ）多視点システムにおける第２の視点からの第２視点画像の部分が前記多視点システムにおける第１視点画像の対応部分のエンコーディングしたものからの情報を用いてエンコーディングされたことを示すコーディング表示と、（ｉｉ）前記第２視点画像の前記部分に関する奥行き情報を提供する第２視点奥行き値を示す奥行き表示とを含むシンタックスをデコーディングするデコーディングユニットであって、前記奥行き情報は、前記第１視点画像の対応部分の位置を判定するために用いることができる、デコーディングユニットと、
前記第１視点画像の前記対応部分の前記位置を判定する視差コンバータであって、前記判定は、前記コーディング表示と前記奥行き表示とに基づいている、視差コンバータと、
を含み、
前記デコーディングユニットは、前記第１視点画像の前記対応部分の前記エンコーディングしたものをさらにデコーディングし、前記第１視点画像の前記対応部分の当該デコーディングしたものからの情報を用いて前記第２の視点画像の前記部分のエンコーディングしたものをさらにデコーディングし、
前記第２視点画像の前記部分をデコーディングは、前記第２視点画像の前記部分が再構築されるように前記第２視点画像の前記部分が前記第１視点画像の前記部分を再構築したものを用いて再構築されるべきであることを示すフラグを読み込むことを備える、装置。
【請求項２２】
前記第２視点画像の前記部分が前記第１視点画像の前記部分に対応することを判定することは、ワーピング処理を使用することを含み、前記ワーピング処理は、
前記第２視点画像の前記部分内の点の位置に基づいて現実の空間内の前記点の位置を判定することと、
現実の空間内の前記点の位置に基づいて前記第１視点画像の前記部分内の前記点の位置を判定することと、
を含む、請求項２１に記載の装置。
【請求項２３】
請求項１−４、１０−１８のいずれかに記載の方法を実行するように構成された、装置。
【請求項２４】
請求項１−４、１０−１８のいずれかに記載の方法をプロセッサに実行させるための命令を保存したプロセッサ可読媒体。
【手続補正２】
【補正対象書類名】明細書
【補正対象項目名】００１６
【補正方法】変更
【補正の内容】
【００１６】
エントロピーデコーダ１２０の出力、モード判定モジュール１２２の第１の出力、及び視差選択器１３１の出力は、ビットストリームを出力するために、各々エンコーダ１００の個別の出力として利用可能である。視差選択器１３１は、様々な形式の奥行き情報を出力するために使用されてもよい。このような奥行き情報は、保存されるか伝送されても良く、例えば、デコーディング動作を許可して、エンコーディングされている視点の全てまたは一部の視差ベクトルを判定するために使用され得る。
【手続補正３】
【補正対象書類名】明細書
【補正対象項目名】００１８
【補正方法】変更
【補正の内容】
【００１８】
補償器１７５の出力は、切換器１８５の第１の入力と信号通信接続されている。視差補償器１６５の出力は、切換器１８５の第２の入力と信号通信接続されている。イントラ予測器１４５の出力は、切換器１８５の第３の入力と信号通信接続されている。切換器１８５の出力は、合成器１０５の反転入力及び合成器１３５の非反転入力と信号通信接続されている。モード判定モジュール１２２の出力は、どの入力が切換器１８５に提供されるかを決定する。